(57)【要約】【課題】  現像スリーブとドクタとの隙間が軸方向で一定でなくなっても、ドクタギャップを通過する現像剤量を軸方向で一定にする。【解決手段】  ドクタ４５は、材料が非磁性体からなるドクタブレード４５ａを有している。このドクタブレード４５ａには、磁性材料からなる磁性部材４５ｂが固定されている。磁性部材４５ｂの中央部の断面積を端部の断面積より大きくして、中央部付近の磁界を、端部付近の磁界に比べて大きくする。これにより、ドクタ４５の中央部がたわんで、ドクタ中央部が端部に比べて多く現像剤を通過させるような状態となっても、ドクタ中央部の磁界を高めて、磁性ブラシの穂切り量を端部に比べて多くしているので、ドクタギャップを通過する現像剤の量を軸方向一定とすることができる。【選択図】  図４
2005091953.tif 000002
【特許請求の範囲】
【請求項１】
磁性現像剤を収容する現像剤収容部と、複数の固定磁界発生手段を内包した回転可能な非磁性のスリーブからなり、該磁界発生手段により該現像剤収容部内の磁性現像剤を表面に担持させて像担持体と対向する現像領域まで搬送する現像剤担持体と、該現像剤担持体と隙間を形成し、該隙間に該現像剤担持体上の現像剤を通過させることで、該現像剤担持体上の現像剤の層厚を規制する現像剤規制部材とを備えた現像装置において、現像動作中の現像剤の圧力により該現像剤担持体と現像剤規制部材との隙間の大きさに軸方向で相違が生じるのに応じ、該相違による現像剤通過量の軸方向での差異を減少させるように、上記現像剤規制部材と上記磁界発生手段との間に発生する現像剤担持体法線方向の磁界の強さを該軸方向で異ならせたことを特徴とする現像装置。
【請求項２】
請求項１の現像装置において、上記現像剤規制部材の軸方向において、少なくとも中央部で発生する現像剤担持体法線方向の磁界の強さが端部に比べて強いことを特徴とする現像装置。
【請求項３】
請求項１または２の現像装置において、前記現像剤規制部材は、非磁性部材と磁性部材とからなることを特徴とする現像装置。
【請求項４】
請求項３の現像装置において、現像剤担持体の軸に直交する断面による前記磁性部材の断面積が、該現像剤担持体と現像剤規制部材との隙間の軸方向での相違に応じて該軸方向で異なっていることを特徴とする現像装置。
【請求項５】
請求項３または４の現像装置において、前記スリーブの現像領域の端部と対向する位置に前記磁性部材を設けないことを特徴とする現像装置。
【請求項６】
請求項３、４または５の現像装置において、前記磁性部材が磁石であることを特徴とする現像装置。
【請求項７】
請求項２、３、４、５または６の現像装置において、前記現像剤規制部材の潜像担持体上の潜像を形成する最大幅領域の端部に対向する現像スリーブの箇所に対向する位置に磁石を設け、該磁石は、該磁界発生手段の磁極と同極の磁極を対向させて配置していることを特徴とする現像装置。
【請求項８】
請求項６の現像装置において、前記磁石は、電磁石であり、該電磁石は、前記現像剤規制部材の潜像担持体上の潜像を形成する最大幅領域の端部に対向する現像スリーブの箇所に対向する位置に軸方向に複数配置されていることを特徴とする現像装置。
【請求項９】
静電潜像を担持する像担持体と、該静電潜像を現像する現像装置を備えた画像形成装置において、上記現像装置として請求項１、２、３、４、５、６、７または８の現像装置を採用することを特徴とする画像形成装置。
【請求項１０】
少なくとも潜像を担持する像担持体と、該像担持体上の潜像にトナーを供給して現像する現像装置とを一体に支持し、画像形成装置本体に着脱自在であるプロセスカ−トリッジにおいて、
上記現像装置として請求項１、２、３、４、５、６、７または８の現像装置を用いることを特徴とするプロセスカ−トリッジ。
【発明の詳細な説明】
【技術分野】
【０００１】
本発明は、複写機、ファクシミリ、プリンタ等に用いられる現像装置、画像形成装置及びプロセスカートリッジに係るものである。
【背景技術】
【０００２】
従来、図１２に示すように、現像スリーブ１４１の表面に、磁性キャリアおよびトナーからなる２成分現像剤を担持させ、潜像担持体としての感光体に対向する現像領域に搬送し、感光体上の静電潜像を現像する現像装置を用いるものが知られている。現像スリーブ表面に現像剤をブラシ状に穂立ちさせるための磁界を形成するために現像スリーブ内部に複数の磁極を備えた磁石が配置されている。磁石に対して現像スリーブが相対移動することで、現像スリーブ表面にブラシ状（以下磁気ブラシとする）に穂立ちした現像剤が現像スリーブの表面移動に伴って搬送される。この現像スリーブ上の現像剤は、図１３（ａ）に示すように、磁石がもつ現像磁極から発せられる磁力線（図中の矢印）に沿って穂立ちする。すなわち、磁石の磁極上にある現像剤は、現像スリーブの鉛直方向にまっすぐ穂立ちするが、磁石の磁極から離れたところでは、現像スリーブに対して斜めに穂立ちする。そして、現像スリーブの移動にともなって磁気ブラシが穂立ち／穂倒れを繰り返し、磁気ブラシの先端が図１３（ｂ）に示すような波形を描きながら現像領域に搬送される。
また、図１２の現像装置では、現像スリーブ上の現像剤汲み上げ量を所望の値になるように調整するために、現像剤量規制部材としてドクタ１４５を設けている。このドクタ１４５は、非磁性部材からなるドクタブレード１４５ａと、このドクタブレードに固定されている磁性部材１４５ｂからなっている。この磁性部材１４５ｂを設けることで、磁石の磁力線が磁性部材１４５ｂに集まる。すると、磁気ブラシは、磁力線に沿ってまっすぐ穂立ちして、ドクタ１４５と現像スリーブ１４１との間を通過する。穂立ちした磁気ブラシは、ドクタブレード１４５ａに穂切りされる。これにより、現像領域に搬送される現像剤は、厚みが薄く、安定した汲み上げ量が確保される。
【０００３】
現像領域に搬送する現像剤を軸方向に一定にするため、ドクタ１４５と現像スリーブとに約０．７ｍｍの隙間（以下ドクタギャップ）が、軸方向に一定となるように構成されれている。しかし、実際は、ドクタが堰き止める現像剤の圧力によって、図１４に示すようにドクタ１４５がたわんで変形し、端部のドクタギャップ（図中のＤＧ１）は、約０．７ｍｍであるのに対して中央部のドクタギャップ（図中のＤＧ２）は、約０．９ｍｍと広がってしまう。この結果、ドクタギャップの中央部を通過する現像剤の量が端部を通過する現像剤量に比べて多くなる。よって、現像領域に搬送する現像剤を軸方向に一定にすることができず、画像の濃度ムラなどを引き起こしていた。そこで、特許文献１には、現像スリーブを停止した状態で、ドクタギャップを軸方向中央に行くに従って狭くしたものが記載されている。これにより、現像中に現像剤の圧力によってドクタがたわんでも、ドクタと現像スリーブとの間は、軸方向に一定となる。その結果、ドクタギャップを通過して、現像領域に搬送される現像剤は、軸方向に一定となる。
【０００４】
【特許文献１】特開２００３−１２２１１３号公報
【発明の開示】
【発明が解決しようとする課題】
【０００５】
しかしながら、中央部付近のドクタギャップＧＤ１と端部のドクタギャップＧＤ２との差は、０．１〜０．３ｍｍ程度と非常に小さいため、ドクタブレードの先端をこのような差がでるように加工することは非常に困難であった。
以上、磁性キャリアおよびトナーからなる２成分現像剤について例示したが、これに限らず、磁性トナーを用いた１成分現像剤についても同様な問題が生じる。
【０００６】
本発明は、上記問題に鑑みなされたもので、その目的は、現像剤担持体と現像剤規制部材との隙間が軸方向で一定でなくなっても、現像剤担持体と現像剤規制部材との隙間を通過する現像剤量を軸方向で一定にすることができる現像装置、画像形成装置およびプロセスカートリッジを提供することである。
【課題を解決するための手段】
【０００７】
上記目的を達成するために、請求項１の現像装置は、磁性現像剤を収容する現像剤収容部と、複数の固定磁界発生手段を内包した回転可能な非磁性のスリーブからなり、該磁界発生手段により該現像剤収容部内の磁性現像剤を表面に担持させて像担持体と対向する現像領域まで搬送する現像剤担持体と、該現像剤担持体と隙間を形成し、該隙間に該現像剤担持体上の現像剤を通過させることで、該現像剤担持体上の現像剤の層厚を規制する現像剤規制部材とを備えた現像装置において、現像動作中の現像剤の圧力により該現像剤担持体と現像剤規制部材との隙間の大きさに軸方向で相違が生じるのに応じ、該相違による現像剤通過量の軸方向での差異を減少させるように、上記現像剤規制部材と上記磁界発生手段との間に発生する現像剤担持体法線方向の磁界の強さを該軸方向で異ならせたことを特徴とするものである。
また、請求項２の現像装置は、請求項１の現像装置において、上記現像剤規制部材の軸方向において、少なくとも中央部で発生する現像剤担持体法線方向の磁界の強さが端部に比べて強いことを特徴とするものである。
また、請求項３の現像装置は、請求項１または２の現像装置において、前記現像剤規制部材は、非磁性部材と磁性部材とからなることを特徴とするものである。
また、請求項４の現像装置は、請求項３の現像装置において、現像剤担持体の軸に直交する断面による前記磁性部材の断面積が、該現像剤担持体と現像剤規制部材との隙間の軸方向での相違に応じて該軸方向で異なっていることを特徴とするものである。
また、請求項５の現像装置は、請求項３または４の現像装置において、前記スリーブの現像領域の端部と対向する位置に前記磁性部材を設けないことを特徴とするものである。
また、請求項６の現像装置は、請求項３、４または５の現像装置において、前記磁性部材が磁石であることを特徴とするものである。
また、請求項７の現像装置は、請求項２、３、４、５または６の現像装置において、前記現像剤規制部材の潜像担持体上の潜像を形成する最大幅領域の端部に対向する現像スリーブの箇所に対向する位置に磁石を設け、該磁石は、該磁界発生手段の磁極と同極の磁極を対向させて配置していることを特徴とするものである。
また、請求項８の発明は、請求項６の現像装置において、前記磁石は、電磁石であり、該電磁石は、前記現像剤規制部材の潜像担持体上の潜像を形成する最大幅領域の端部に対向する現像スリーブの箇所に対向する位置に軸方向に複数配置されていることを特徴とするものである。
また、請求項９の画像形成装置は、静電潜像を担持する像担持体と、該静電潜像を現像する現像装置を備えた画像形成装置において、上記現像装置として請求項１、２、３、４、５、６、７または８の現像装置を採用することを特徴とするものである。
また、請求項１０のプロセスカ−トリッジは、少なくとも潜像を担持する像担持体と、該像担持体上の潜像にトナーを供給して現像する現像装置とを一体に支持し、画像形成装置本体に着脱自在であるプロセスカ−トリッジにおいて、上記現像装置として請求項１、２、３、４、５、６、７または８の現像装置を用いることを特徴とするものである。
【発明の効果】
【０００８】
請求項１乃至８の発明の現像装置によれば、現像動作中の現像剤の圧力により現像剤担持体と現像剤規制部材との隙間の大きさに軸方向で相違が生じるのに応じ、この相違による現像剤通過量の軸方向での差異を減少させるように、現像剤規制部材と磁界発生手段との間に発生する現像剤担持体法線方向の磁界の強さを該軸方向で異ならせている。現像剤規制部材と磁界発生手段との間に発生する現像剤担持体法線方向の磁界が強いと、現像剤の穂立ちが顕著になり、現像剤規制部材に当接する現像剤が多くなって穂切り量が多くなる。一方、現像剤担持体法線方向の磁界が弱いと、逆に穂倒れして、現像規制部材に当接する現像剤は、少なくなり穂切り量が少なくなる。このことから、現像動作中に現像剤担持体と現像剤規制部材との隙間が大きくなって、現像剤を多く通過させる虞のあるところでは、その磁界を強めて、穂切り量を多くする。その結果、大きくなった隙間を通過する現像剤量を隙間に変化のないところを通過する現像量と同じにすることができる。また、逆に隙間が狭いところの磁界を弱めて、そこを通過する現像剤の量を増やしてやれば、現像動作中に隙間が大きくなって通過する現像剤量が多くなったところと同じにすることができる。よって、現像剤担持体と現像剤規制部材との隙間が軸方向で一定でなくなっても、そこに発生する磁界を強めたり、弱めたりすることで、現像剤担持体と現像剤規制部材との隙間を通過する現像剤量を軸方向一定にすることができる。この結果、軸方向均一な現像剤を現像領域に搬送することができ、品質の高い画像を得ることができるという効果がある。
【発明を実施するための最良の形態】
【０００９】
以下、本発明を適用した画像形成装置として、タンデム方式のカラーレーザプリンタ（以下「レーザプリンタ」という）の実施形態について説明する。
まず、本レーザプリンタの基本的な構成について説明する。
［全体構成］
図１は、本実施形態に係る画像形成装置としてのレーザプリンタの概略構成図である。このレーザプリンタは、マゼンダ（Ｍ）、シアン（Ｃ）、イエロー（Ｙ）、黒（Ｋ）の各色の画像を形成するための４組のプロセスユニット１Ｍ，１Ｃ，１Ｙ，１Ｋを備えている。各符号の数字の後に付されたＭ，Ｃ，Ｙ，Ｋは、言うまでもなく、マゼンダ、シアン、イエロー、黒用の部材であることを示している（以下同様）。プロセスユニット１Ｙ、１Ｍ、１Ｃ、１Ｋの他には、光書込ユニット７０、転写ユニット６０、レジストローラ対１９、３つの給紙カセット２０、定着ユニット２１などが配設されている。
【００１０】
［プロセスユニット］
図２は、上記プロセスユニット１Ｍ，Ｃ，Ｙ，Ｋのうち、１つのプロセスユニットの概略構成を示す拡大図である。なお、他のプロセスユニット１Ｍ，Ｃ，Ｙ，Ｋはそれぞれ同じ構成となっているので、そのうち１つのユニットについて説明するが、トナーのカラーについては省略する。図２において、プロセスユニットＭは、ドラム状の感光体２、帯電装置３０、現像装置４０、クリーニング装置５０などを有している。
【００１１】
図３は、本実施形態のプリンタにおける現像装置４０と感光体回り概略図であり、これについても図２と同様トナーのカラーについては省略する。感光体ドラム２は帯電装置３０により、表面を一様に帯電された後、光学系により露光され、静電潜像が形成される。現像装置４０は現像スリーブ４１により装置内の現像剤を感光体ドラム２と対向する現像ニップ領域へ搬送し、感光体ドラム表面に形成されている静電潜像に現像剤中のトナーを付着させ顕像化する。トナー像は感光体ドラム２と搬送ベルト６１とが対向する転写領域において転写紙に転写され転写紙上の画像となる。図２に示すクリーニング装置５０は、転写紙に転写し切れずに感光体ドラム２表面に残ったトナーを、クリーニングブレード５１により除去する。クリーニング装置５０を通過した感光体表面は、除電器（図示せず）で除電される。そして、帯電装置３０により表面を一様に帯電され、次の画像形成工程に備えられる。
【００１２】
本実施形態のプリンタは、図２に示すようにプロセスユニット１を構成している感光体２、帯電装置３０、現像装置４０及びクリ−ニング装置５０等の構成要素のうち、複数のものをプロセスカ−トリッジとして一体に結合して構成している。更にこのプロセスカ−トリッジをプリンタ本体に対して着脱可能に構成している。図２においては、感光体ドラム２、帯電装置３０、現像装置４０、クリーニング装置５０からなるプロセスユニット１全体が一体に構成されており、プリンタ本体に対して着脱が可能なプロセスカートリッジ１となっている。
【００１３】
本実施形態のプリンタによってフルカラー画像を形成する手順について簡単に説明する。図１において、このプリンタは、感光体２Ｙ，Ｍ，Ｃ，Ｋが所定の周速度で回転駆動される。感光体２Ｙ，Ｍ，Ｃ，Ｋは回転過程において、帯電装置３０Ｙ，Ｍ，Ｃ，Ｋによりその周面に正または負の所定電位の均一帯電を受け、次いで、スリット露光やレ−ザ−ビ−ム走査露光等の像露光手段からの画像露光光Ｌを受ける。こうして感光体２の周面に静電潜像が順次形成され、形成された静電潜像は、次いで現像装置４０Ｙ，Ｍ，Ｃ，Ｋによりトナーで現像さる。各色のプロセスユニット１Ｙ，Ｍ，Ｃ，Ｋで現像されたトナー像は、給紙部から感光体２Ｙ，Ｍ，Ｃ，Ｋと搬送ベルト６１との間に感光体２Ｙ，Ｍ，Ｃ，Ｋの回転と同期されて給送された転写紙に、順次重ね合わせて転写される。このようにしてフルカラー画像が形成される。像転写を受けた転写紙は最終色の感光体２Ｋ表面から分離され、更に搬送ベルト６１上にのって定着ユニット２１へ向けて搬送される。定着ユニット２１に搬送された転写紙は一対の定着ローラ間に導入されてフルカラー画像が定着され、機外へ排出される。
尚、像転写後の感光体２Ｙ，Ｍ，Ｃ，Ｋの表面は、クリーニング装置５０Ｙ，Ｍ，Ｃ，Ｋによって転写残トナーが除去され清浄面化され、更に除電された後、繰り返し画像形成に使用される。
【００１４】
上述したようにプロセスカートリッジ１Ｙ，Ｍ，Ｃ，Ｋは各色ごとに独立してプリンタから取り外しが可能である。本発明によれば感光体、現像装置とも従来のものに比して寿命は延びるが、必ずしもその長さは一致しない場合もある。その時は交換が必要となった感光体や現像装置等の部材又は装置が搭載されている色のプロセスカートリッジのみをプリンタから取り外し、プロセスカートリッジから交換が必要な部材や装置を取り外して交換する事が可能となる。このように現像スリーブを含む現像装置や感光体ドラム２がプロセスカートリッジとしてプリンタ本体に対し容易に着脱可能となっているので、プリンタ本体にそれぞれの部品や装置が直接位置決めされ設置されている場合に比してプリンタに対する着脱が容易となる。また、各色のプロセスカートリッジごとに感光体ドラム２に対する現像スリーブ等の部材の位置決めを突き当て部材等で行い、これら現像スリーブ等の部材を感光体ドラム２から退避させる簡単な機構を設ければ、非現像時に現像スリーブ等の部材を感光体から容易に退避させる事が可能となる。これにより、現像スリーブへのトナーフィルミングの促進が低減され、更に現像装置、プリンタ等の寿命が延びる。
【００１５】
上記現像装置４０について更に詳細を説明する。現像装置４０は、そのケーシングの開口から一部露出させるように配設された円柱形状の現像剤担持体として、直径約１８ｍｍの現像スリーブ４１を有している。また、第１搬送スクリュウ４３、第２搬送スクリュウ４４、現像剤層厚規制部材としてのドクタ４５なども有している。ドクタ４５は、先端が現像スリーブ表面に所定のギャップを介して対向するよう配置されている。
【００１６】
上記ケーシング内には、磁性キャリアと、マイナス帯電性のトナーとを含む二成分現像剤が収容されている。この二成分現像剤は上記第１搬送スクリュウ４３、第２搬送スクリュウ４４によって撹拌搬送されながら摩擦帯電せしめられた後、上記現像スリーブ４１の内部に固定的に配置された磁石４２の磁力によって表面に磁気ブラシ状に穂立ちして担持される。現像スリーブに担持された磁気ブラシは、現像スリーブ４２の内部に固定的に配置された磁極の磁極線に沿って、穂立ち／穂倒れを繰り返しながら、現像領域に搬送される。そして、上記ドクタ４５による規制位置を通過することによって磁気ブラシが穂切りされその層厚が規制されてから感光体２に対向する現像領域に搬送される。そして、この領域で現像スリーブ上に磁気ブラシ状に担持された現像剤を感光体表面に接触させ、後述する現像電界によって感光体２上の静電潜像にトナーを付着させる。この付着により、感光体２上にＹトナー像が形成される。現像によってトナーを消費した二成分現像剤は、現像スリーブ４１の回転に伴ってケーシング内に戻される。
【００１７】
上記第１搬送スクリュウ４３と、上記第２搬送スクリュウ４４との間には仕切壁４７が設けられている。この仕切壁４７により、現像スリーブ４２や第１搬送スクリュウ４３等を収容する第１供給部と、第２搬送スクリュウ４４を収容する第２供給部とがケーシング内で分かれている。第１搬送スクリュウ４３は、図示しない駆動手段によって回転駆動せしめられ、上記第１供給部内の二成分現像剤を図中手前側から奥側へと搬送しながら現像スリーブ４２に供給する。第１搬送スクリュウ４３によって上記第１供給部の端部付近まで搬送された二成分現像剤は、仕切壁４７に設けられた図示しない開口部を通って上記第２供給部内に進入する。第２供給部内において、第２搬送スクリュウ４４は、図示しない駆動手段によって回転駆動せしめられ、上記第１供給部から送られてくる二成分現像剤を第１搬送スクリュウ４３とは逆方向に搬送する。第２搬送スクリュウ４４によって第２供給部の端部付近まで搬送された二成分現像剤は、仕切壁４７に設けられたもう一方の開口部（図示せず）を通って第１供給部内に戻る。
【００１８】
次に、ドクタ４５について説明する。現像スリーブ４１に担持された磁気ブラシは、ドクタブレードに当接して、穂切りされる。このとき、磁気ブラシは、スリーブの回転によって搬送されているので、ドクタ４５は、磁気ブラシによってスリーブの回転方向に押圧される。ドクタ４５は、両端が現像装置にねじ止めされているだけなので、中央部が磁気ブラシに押圧されて、スリーブの回転方向にたわんでしまう。すると、現像スリーブの中央のドクタギャップが端部のドクタギャップに比べて大きくなり、端部に比べて多くの現像剤を現像領域へ搬送してしまう。
そこで、本実施形態では、図４に示すようなドクタ４５としている。このドクタ４５は、図４に示すように、ＳＵＳやアルミなど、材料が非磁性体からなるドクタブレード４５ａを有している。このドクタブレード４５ａには、磁性材料からなる磁性部材４５ｂが固定されている。ドクタギャップは、０．７ｍｍ、ドクタブレード軸方向長さは、３３０ｍｍとしている。このドクタ４５は、穂倒れした磁気ブラシが磁極線によって立ち上がる付近または、穂立ちした磁気ブラシが再び穂倒れを始める付近に設ける。この磁性部材４５ｂは、厚さを一定としており、現像スリーブに対して鉛直方向の長さが、両端付近よりも、中央付近の方を長くしている。これにより、磁性部材４５ｂの現像スリーブに対して鉛直方向の断面の断面積が、両端部付近よりも、中央部付近の方が大きくなる。また、中央部付近の磁性部材４５ｂと現像スリーブとの距離が、両端部付近の磁性部材４５ｂと現像スリーブ４１との距離より短くなっている。磁界の強さは、磁性部材４５ｂの体積に比例し、磁性部材４５ｂと磁石ローラの磁石との距離の２乗に反比例するので、磁性部材４５ｂとスリーブ内の磁石との間に発生する現像スリーブ法線方向の磁界は、中央部付近の磁界の方が端部付近の磁界に比べて強くなる。このように、ドクタ４５における中央部付近の磁界を高めているので、ドクタ中央部付近の磁気ブラシは、図５に示すように現像スリーブ４１に対してまっすぐに穂立ちする。一方、端部付近の磁気ブラシは、図６に示すように現像スリーブ４１に対して斜めに穂立ちした状態となる。これにより、図５に示すように、ドクタ中央部付近の磁気ブラシは、端部付近の磁気ブラシに比べて穂立ちした状態であるので、ドクタブレード４５ａによって、端部付近の磁気ブラシよりも多く穂切りされる。一方、ドクタ端部付近の磁気ブラシは、図６に示すように、斜めに穂立ちした状態であるので、ドクタブレード４５ａによって穂切りされる現像剤の量は、穂立ちした状態の磁気ブラシに比べて少なくなる。これにより、ドクタ４５の中央部がたわんで、ドクタ中央部が端部に比べて多く現像剤を通過させるような状態となっても、ドクタ中央部の磁界を高めて、磁性ブラシの穂切り量を端部に比べて多くしているので、ドクタギャップを通過する現像剤の量を軸方向一定とすることができる。
【００１９】
この実施形態においては、磁性部材４５ｂを感光体の画像領域よりも長くしているが、これに限られない。磁性部材４５ｂを感光体の画像領域より小さくして、ドクタの端部には磁気ブラシを穂立ちさせる磁界を発生させず、ドクタの中央部のみ磁気ブラシを穂立ちさせる磁界を発生させてもよい。また、ドクタブレード４５ａをたわみにくい材料で構成すれば、中央部と端部とで発生させる磁界の強度差を少なくすることができ、ドクタギャップを通過する現像剤を軸方向に均一にしやすくなる。
【００２０】
また、図７に示すように、磁性部材４５ｂの中央の厚みを厚くし、端部の厚みを薄くすることで、現像スリーブ４１に対して鉛直方向断面の断面積を端部と中央部とで異ならせたものであってもよい。これも、磁性部材の中央部付近は、端部に比べて体積が大きいので、端部よりも強い磁界が発生する。従って、磁性部材４５ｂの中央部を通過する磁気ブラシは、磁性部材の端部を通過する磁気ブラシに比べて穂立ちするようになる。この結果、磁気ブラシの圧力によってドクタ４５の中央部がたわんで端部よりドクタギャップが広がっても、ドクタ中央部を通過する磁気ブラシの穂切り量を多くしているので、中央部を通過する現像剤の量は、端部を通過する現像剤の量と同じにすることができる。これにより、現像剤を軸方向に均一な状態で現像領域に搬送することができる。
【００２１】
また、図８に示すように、磁性部材４５ｂを磁石としてもよい。図８に示す例では、磁性部材の磁極は、ドクタ４５と対向する現像スリーブ内の磁石４２の磁極（Ｎ）と反対の磁極（Ｓ）を対向させるようにする。図８に示す例おいても、磁性部材４５ｂは、図６や、図７に示すように中央部の断面積を端部の断面積に比べて大きくし、磁性部材４５ｂの中央部に発生する磁界を端部に発生する磁界より大きくする。これにより、図６や図７の例に比べ、現像スリーブ内の磁石と磁性部材との現像スリーブ法線方向の磁界を強くすることができる。図８に示す例では、現像スリーブ４１と対向する磁性部材４５ｂの磁極を現像スリーブ内の磁極（Ｎ）と反対の磁極（Ｓ）としたが、同極の磁極（Ｎ）を対向させても良い。同極の磁極を配置した場合は、互いの磁極が反発しあって、現像スリーブ内の磁石４２から発する磁極線が、磁性部材に向かって伸びず、現像スリーブの移動方向につぶされる。その結果、現像スリーブ内の磁石と磁性部材との現像スリーブ法線方向の磁界が弱まって、磁気ブラシが穂倒れするようになる。よって、磁性部材の中央部の断面積を端部の断面積に比べて、小さくして磁性部材４５ｂから発生する磁力を弱めてやれば、磁気ブラシの穂倒れが端部に比べて少なくすることができる。その結果、ドクタ中央部の穂切り量が多くなって、中央部がたわんでも、ドクタギャップを通過する現像剤量を軸方向に一定に近づけることができる。また、磁性部材４５ｂとしての磁石を複数設け、端部と中央部との磁極を異ならせるようにしても良い。この場合、ドクタ端部に設ける磁石は、ドクタ４５と対向する現像スリーブ内の磁石４２と同極の磁極が対向するように設け、ドクタ中央部に設けた磁石は、ドクタ４５と対向する現像スリーブ内の磁石４２の磁極と反対の磁極が対向するように設ける。これにより、端部は、現像スリーブ内の磁石４２の磁極と同極の磁性部材４５ｂによって、磁気ブラシが穂倒れするが、中央部の磁気ブラシは、現像スリーブ内の磁石４２の磁極と反対の磁性部材４５ｂによって、磁気ブラシが穂立ちする。これにより、磁気ブラシの穂切り量は端部に比べて中央部が多くなり、中央部がたわんでも、ドクタギャップを通過する現像剤量を軸方向に一定に近づけることができる。なお、この場合、中央部の磁性部材は、磁石でなくても良い。また、中央部の磁性部材は、もうけなくても良い。
【００２２】
また、図９に示すように磁性部材４５ｂを電磁石として、ドクタブレードの軸方向に複数配置してもよい。この場合、電流の大きさや向き、およびコイルの巻き数を変えることで、容易に磁界の強さや方向を変えることができる。これにより、例えば、ドクタ４５の磁性部材が固定されている面と反対の面にトナー濃度センサを固定して、ドクタギャップを通過した現像剤量を検知し、その検知した値をフィードバックして、電磁石の磁界の強さを変化させることも可能である。
【００２３】
上述においては、ドクタブレードに固定された磁性部材の特性や形状を軸方向に異ならせて、ドクタブレードと現像スリーブとの間に発生する現像スリーブに対して法線方向の磁界の強さを軸方向に異ならせる例について示したが、これに限定されるものではない。例えば、図１０に示すように、ドクタと対向する現像スリーブ内の磁石の形状を軸方向に異ならせることで、ドクタブレードと現像スリーブとの間に発生する磁界の強さを軸方向に異ならせてもよい。図１０に示す例では、現像スリーブ内の磁石の中央部付近を端部付近に比べて体積を大きくしている。そうすることで、ドクタブレードの中央部付近の現像スリーブに対して法線方向の磁界が端部付近より強くなり、中央部付近の磁気ブラシが端部付近の磁気ブラシより穂立ちする。この結果、中央部がたわんでも、ドクタギャップを通過する現像剤量を軸方向に一定に近づけることができる。また、これに限られず例えば、磁性部材と現像スリーブ内の磁石との距離を端部付近よりも中央部付近の方を短くしたり、現像スリーブ内の磁石の端部付近に磁性板を設けたりして、現像スリーブ内の磁石と磁性部材４５ｂとの現像スリーブ法線方向の磁界を弱めることで、中央部と端部との磁界を異ならせても良い。
【００２４】
上述においては、ドクタ４５の中央部がたわんで、ドクタギャップが大きくなった場合について説明したが、これに限られず、例えばドクタの中央部が固定されて端部がたわんだ場合にも適用できる。この場合、上述とは逆に、中央部の磁界を端部に比べて弱くすることで、ドクタギャップを通過する現像剤を軸方向均一にすることができる。
また、磁性キャリアおよびトナーからなる２成分現像剤について例示したが、これに限らず、磁性トナーを用いた１成分現像剤についても適用することができる。
【００２５】
図１１は、図１２に示す従来の磁性部材と、図４に示す形状の本実施形態の磁性部材との、現像スリーブ軸方向における汲み上げ量について調べたグラフである。図１１のＣは、ドクタ中央部の汲み上げ量であり、Ｆ、Ｒは、ドクタ端部の汲み上げ量を示している。図１２に示す磁性部材は、その幅、厚みは、一定としている。その結果、ドクタブレードと現像スリーブとの間に発生する磁界は、軸方向一定である。図１２のドクタにおいては、ドクタブレードと現像スリーブとの間に発生する磁界は、軸方向一定であるので、磁気ブラシの穂立ちは、中央部（Ｃ）、端部（Ｆ、Ｒ）とも同一となる。しかしながら、ドクタ中央部付近は、磁気ブラシの圧力によってたわんでしまうため、端部と中央が同一の穂立ちであっても、中央部の穂切り量は、少なくなる。その結果、図１１に示すように、汲み上げ量が端部（Ｆ、Ｒ）より中央部（Ｃ）の方が汲み上げ量が多くなってしまう。一方、本実施形態の磁性部材は、図１２の磁性部材の端部を削って、図４に示すような、その幅方向の長さを中央部付近の幅方向長さより短くした形状としたものである。これにより、中央部の磁界は、従来のものと同じであるのに対し、端部の磁界は、磁性部材が削られて断面積が小さくなった分、従来に比べて磁界が弱くなっている。すなわち、端部の磁界が中央部の磁界に比べて弱くなっている。図１１に示すように、中央部（Ｃ）の磁界は、従来と同じなので、その汲み上げ量は、従来とほぼ同じであるのに対し、端部（Ｆ、Ｒ）の磁界は、従来に比べて弱くなっているので、磁気ブラシの穂立ちが従来のものに比べて悪くなる。よって、ドクタブレードに穂切りされる量が少なくなり、従来に比べて汲み上げ量が多くなる。その結果、図１１に示すように、図４に示すような本実施形態の形状の磁性部材は、ドクタの中央部と端部との汲み上げ量がほぼ一定とすることがわかる。
【００２６】
以上、本実施形態の現像装置によれば、ドクタブレード４５ａに固定されている磁性部材４５ｂの中央部の断面積を端部の断面積より大きくしている。この結果、磁性部材４５ｂと現像スリーブ内のドクタに最も近い磁石との間に発生する現像スリーブの法線方向の磁界が、磁性部材４５ｂの中央部では強く、端部では弱くなる。この結果、ドクタ４５の中央部を通過する現像スリーブ上の磁気ブラシは、ドクタ端部を通過する磁気ブラシに比べて穂立ちするようになる。これにより、ドクタブレード４５ａによって穂切りされる磁気ブラシは、端部に比べて中央部の方が多くなり、ドクタギャップが軸方向一定の場合、このギャップを通過する現像剤は、端部の方が多くなる。ドクタブレード４５ａに磁気ブラシが当接して、そのときの押し圧力で中央部がたわんで中央部のドクタギャップが大きくなり現像剤を多く通過させるような状態となっても、ドクタ中央部の磁界を高めて、磁性ブラシの穂切り量を端部に比べて多くしているので、ドクタギャップを通過する現像剤の量を軸方向一定とすることができる。その結果、軸方向均一な現像剤を現像領域に搬送することができる。これにより、高品質な画像得ることができる。
また、磁性部材４５ｂを磁石としてもよい。これにより、現像スリーブと磁性部材との間の磁界を強めることができる。また、ドクタの少なくとも端部にドクタと対向する現像スリーブ内の磁石の磁極と同極性の磁極を対向させて磁石を設けることで、端部の磁気ブラシを積極的に穂倒れさせ、ドクタの端部を通過する現像剤を増やすことで、ドクタギャップを通過する現像剤を均一にすることができる。
また、磁性部材を電磁石としてもよい。電磁石にすることで、現像スリーブ内の磁石と磁性部材との間に発生する磁界を容易に変えることができる。これにより、例えば、現像ギャップを通過したトナーの濃度をトナーセンサなどで検知して、その検知結果に基づき、電磁石に流れる電流を制御して、現像スリーブ内の磁石と磁性部材との間に発生する磁界を制御することが可能になる。これによって、長期にわたり、軸方向均一な現像剤を現像領域に搬送することができる。
【図面の簡単な説明】
【００２７】
【図１】実施形態に係る画像形成装置の要部説明図。
【図２】Ｍ色プロセスユニット１Ｍの概略構成を示す拡大図。
【図３】本実施形態のプリンタにおける現像装置と感光体まわりの概略図。
【図４】本実施形態にかかわるドクタの説明図。
【図５】図４に示すドクタのＡ−Ａ断面図。
【図６】図４に示すドクタのＢ−Ｂ断面図。
【図７】本実施形態にかかるドクタの他の例を示す図
【図８】本実施形態にかかるドクタにおいて、磁性部材を磁石とした例を示す図。
【図９】本実施形態にかかるドクタにおいて、磁性部材を電磁石とした例を示す図。
【図１０】本実施形態にかかるドクタにおいて、現像スリーブ内の磁石の断面積を中央と端部で異ならせた例。
【図１１】現像スリーブ軸方向における汲み上げ量について調べたグラフを示す図。
【図１２】公知の現像装置の要部説明図。
【図１３】磁気ブラシの穂立ち／穂倒れを説明する概略図。
【図１４】ドクタがたわんだ状態を説明する概略図。
【符号の説明】
【００２８】
１Ｙ，Ｍ，Ｃ，Ｋ    プロセスユニット（プロセスカートリッジ）
２Ｙ，Ｍ，Ｃ，Ｋ    感光体（潜像担持体）
２０    給紙カセット
２１    定着ユニット
４０Ｙ，Ｍ，Ｃ，Ｋ    現像装置
４１    現像スリーブ
４２    現像スリーブ内の磁石
４５    ドクタ
４５ａ  ドクタブレード
４５ｂ  磁性部材
５１    クリーニングブレード
【図１】
2005091953.tif 000003
【図２】
2005091953.tif 000004
【図３】
2005091953.tif 000005
【図４】
2005091953.tif 000006
【図５】
2005091953.tif 000007
【図６】
2005091953.tif 000008
【図７】
2005091953.tif 000009
【図８】
2005091953.tif 000010
【図９】
2005091953.tif 000011
【図１０】
2005091953.tif 000012
【図１１】
2005091953.tif 000013
【図１２】
2005091953.tif 000014
【図１３】
2005091953.tif 000015
【図１４】
2005091953.tif 000016